(57)【要約】【課題】  配管の一方側に曲がり部が存在し、その方向に反力が加わるのを防止できるベローズ型無反動伸縮管継手の提供。【解決手段】  伸縮自在な主ベローズ４の両端の第１継手部１と第２継手部２に配管が接続され、その主ベローズ４に平行な伸縮自在な副ベローズ５が第１継手部１の外周に固定される。それと共に、副ベローズ５と主ベローズ４とが連通し、連結ロッド６が副ベローズ５の一端に連結され、その他端が第２継手部２に連結される。【選択図】        図１
2013253655.tif 000002
【特許請求の範囲】
【請求項１】
両端に夫々筒状の第１継手部(1)と第２継手部(2)を有し、各継手部(1)(2)に配管(3)が接続される伸縮自在な主ベローズ(4)と、
その主ベローズ(4)に平行に配置され、一端および他端が閉塞され、その他端が前記第１継手部(1)の外周に固定されると共に、その第１継手部(1)と内部が連通する伸縮自在な副ベローズ(5)と、
一方側が副ベローズ(5)の一端に連結され、他端側が第２継手部(2)に連結された連結ロッド(6)と、を具備するベローズ型無反動伸縮管継手。
【請求項２】
両端に夫々筒状の第１継手部(1)と第２継手部(2)を有し、各継手部(1)(2)に配管(3)が接続される伸縮自在な主ベローズ(4)と、
その主ベローズ(4)に平行に配置され、一端が閉塞され、その閉塞端側が前記第１継手部(1)の外周に固定されると共に、その第１継手部(1)と内部が連通するシリンダ(7)と、
そのシリンダ(7)に内装されたピストン(8)と、
そのピストン(8)に一端側が連結され、シリンダ(7)の前記閉塞端を貫通すると共に、他端側が第２継手部(2)に連結されたピストンロッド(9)と、を具備するベローズ型無反動伸縮管継手。
【請求項３】
請求項１または請求項２に記載のベローズ型無反動伸縮管継手において、
副ベローズ(5)またはシリンダ(7)の内直径と、主ベローズ(4)の内直径とが同一であるベローズ型無反動伸縮管継手。
【発明の詳細な説明】
【技術分野】
【０００１】
本発明は、配管の一方向に生じる反力を相殺することができるベローズ型無反動伸縮管継手に関する。
【背景技術】
【０００２】
一例として、図６に示すごとく、継手21の両端のフランジ16を介して、配管３が接続された配管について説明する。図のごとく、右側に曲がり部19が存在すると、継手21にはＸ方向に反力が生じる。この反力Ｘは、内圧Ｐと配管断面積Ａとの積である。このような反力Ｘが加わる継手は、各種クランプによって、基部等に固定していた。
【発明の概要】
【発明が解決しようとする課題】
【０００３】
しかしながら、配管の反力Ｘをクランプで支持した場合、そのクランプが弛むと配管が移動し、思わぬ事故を起こすおそれがある。
そこで、本発明は配管に曲がり部が存在しても、そこに生じる反力Ｘを取除くことができるベローズ型無反動伸縮管継手を提供することを課題とする。
【課題を解決するための手段】
【０００４】
請求項１に記載の本発明は、両端に夫々筒状の第１継手部(1)と第２継手部(2)を有し、各継手部(1)(2)に配管(3)が接続される伸縮自在な主ベローズ(4)と、
その主ベローズ(4)に平行に配置され、一端および他端が閉塞され、その他端が前記第１継手部(1)の外周に固定されると共に、その第１継手部(1)と内部が連通する伸縮自在な副ベローズ(5)と、
一方側が副ベローズ(5)の一端に連結され、他端側が第２継手部(2)に連結された連結ロッド(6)と、を具備するベローズ型無反動伸縮管継手である。
【０００５】
請求項２に記載の本発明は、両端に夫々筒状の第１継手部(1)と第２継手部(2)を有し、各継手部(1)(2)に配管(3)が接続される伸縮自在な主ベローズ(4)と、
その主ベローズ(4)に平行に配置され、一端が閉塞され、その閉塞端側が前記第１継手部(1)の外周に固定されると共に、その第１継手部(1)と内部が連通するシリンダ(7)と、
そのシリンダ(7)に内装されたピストン(8)と、
そのピストン(8)に一端側が連結され、シリンダ(7)の前記閉塞端を貫通すると共に、他端側が第２継手部(2)に連結されたピストンロッド(9)と、を具備するベローズ型無反動伸縮管継手である。
【０００６】
請求項３に記載の発明は、請求項１または請求項２に記載のベローズ型無反動伸縮管継手において、
副ベローズ(5)またはシリンダ(7)の内直径と、主ベローズ(4)の内直径とが同一であるベローズ型無反動伸縮管継手である。
【発明の効果】
【０００７】
請求項１に記載の発明は、伸縮自在な主ベローズ４の両端の第１継手部１と第２継手部２に配管３が接続され、その主ベローズ４に平行な伸縮自在な副ベローズ５が第１継手部１の外周に固定されると共に、その副ベローズ５と主ベローズ４とが連通し、
連結ロッド６が副ベローズ５の一端に連結され、その他端が第２継手部２に連結されたものである。
そのため、内圧で配管の一方向に生じる軸線方向の力を、副ベローズ５および連結ロッド６により取り除くことができる。即ち、配管の曲がり部19の存在で生じる一方向の力を、副ベローズ５による逆方向の力で相殺することができる。
【０００８】
請求項２に記載の発明は、伸縮自在な主ベローズ４の両端に配管３が接続され、その主ベローズ４に平行なシリンダ７とその内部にピストン８を有する。そのピストン８に連結されたピストンロッド９の他端が主べローズ４の第２継手部２に連結されたものである。
そのため、内圧で配管の一方向に生じる軸線方向の力を、ピストン８およびピストンロッド９により取り除くことができる。即ち、配管の曲がり部19の存在で生じる一方向の力を、ピストン８による逆方向の力で相殺することができる。
【０００９】
請求項３に記載の発明は、副ベローズ５またはシリンダ７の内直径と、主ベローズ４の内直径とが同一である。そのため、内圧で配管の一方向に生じる軸線方向の力を、副ベローズ５またはシリンダ７により完全に取り除くことができる。
【図面の簡単な説明】
【００１０】
【図１】本発明の第１実施例のベローズ型無反動伸縮管継手。
【図２】図１の本発明のII−II線矢視図。
【図３】同斜視図。
【図４】本発明の第２実施例のベローズ型無反動伸縮管継手。
【図５】同Ｖ−Ｖ線矢視図。
【図６】従来型継手の説明図。
【発明を実施するための形態】
【００１１】
次に、図面に基づいて本発明の実施の形態につき説明する。
図１〜図３は本発明の第１実施例のベローズ型無反動伸縮管継手である。
この例は、金属製の主ベローズ４の両端に一対の第１継手部１，第２継手部２が固定され、それらに配管３が着脱自在に接続される。図において右側の配管３には、曲がり部19を有する。そして、主ベローズ４に並列し副ベローズ５が配置されている。この副ベローズ５も金属製のものであり、その両端が端蓋13とブラケット12とにより閉塞されている。そして、そのブラケット12が第１継手部１と、この例では一体に形成されている。
【００１２】
ブラケット12は有底の筒状であり、その筒部が第１継手部１の内部と連通孔10によって連通する。副ベローズ５の先端の端蓋13には、一対の連結ロッド６が固定され、それがブラケット12の両端部を貫通し、その後端が右側のブラケット11に固定されている。このブラケット11は、第２継手部２と一体に形成されている。そしてこの例では、主ベローズ４と副ベローズ５とが同一直径であり、その両端部に接続される配管３の内直径も主ベローズ４と略同一である。
【００１３】
（作用）
図１において、配管３内に流体を流通させると、その吐出圧が配管３の曲がり部19に加わり、主ベローズ４を伸張する方向に力が作用する。
このとき副ベローズ５には、連通孔10を介して同一の流体の同一圧が加わる。すると、副ベローズ５は左方に伸張しようとする。そして連結ロッド６を介して、主ベローズ４を左方に移動する力が働く。一方主ベローズ４には、右方に伸長する力が働く。
その結果、主ベローズ４の第２継手部２には互いに反対方向の同一の力が加わり、結果として第２継手部２は移動しない。それにより、無反動伸縮管継手を形成する。
【００１４】
次に、図４，図５は本発明の第２実施例であり、この例は前記第１実施例における副ベローズ５の変わりに、シリンダ７とピストン８とを設けたものである。
即ち、主ベローズ４に並列しシリンダ７が配置され、それが主ベローズ４の第１継手部１に固定されている。このシリンダ７は、その右端が端蓋13により固定されている。その端蓋13の外周とシリンダ７との間には、シールリング15が介装されている。
【００１５】
また、シリンダ７内には軸線方向に移動自在なピストン８が設けられ、ピストン８とシリンダ７との間にシールリング15が介装されている。ピストン８には、ピストンロッド９の一端が固定され、それが端蓋13を貫通する。そしてピストンロッド９の後端がブラケット11に固定され、そのブラケット11が主ベローズ４の第２継手部２に固定されている。ピストンロッド９にはカラー14が被嵌され、それが主ベローズ４の自由長さよりも短く形成されている。このカラー14は主ベローズ４の収縮量を規制する。
【００１６】
この第２実施例の作用効果も、前記第１実施例と同一である。
即ち、配管３内に流体が流れると、配管３の曲がり部19を右方に押す作用が起こり、主ベローズ４を右方に伸張する。このとき、同一の流体がシリンダ７内に加わりピストン８を左方に押圧する。その押圧力は、ピストンロッド９を介してブラケット11及び第２継手部２に加わる。その結果、第２継手部２にはピストン８による左方への力と曲がり部19による右方への力とが加わり、両者が相殺されて無反動伸縮管継手を形成する。
【符号の説明】
【００１７】
１  第１継手部
２  第２継手部
３  配管
４  主ベローズ
５  副ベローズ
６  連結ロッド
７  シリンダ
８  ピストン
９  ピストンロッド
【００１８】
10  連通孔
11  ブラケット
12  ブラケット
13  端蓋
14  カラー
15  シールリング
16  フランジ
19  曲がり部
20  Ｃ字クランプ
21  継手
【図１】
2013253655.tif 000003
【図２】
2013253655.tif 000004
【図３】
2013253655.tif 000005
【図４】
2013253655.tif 000006
【図５】
2013253655.tif 000007
【図６】
2013253655.tif 000008